(57)【要約】【課題】静粛性が高く、設置上の制約の少ない換気装置を得る。【解決手段】建物の外部と室内とを室外吸込口１と室内吹出口２を通じて繋がる給気通風路３と、建物の室内と外部とを室内吸込口４と室外吹出口５を通じて繋がる排気通風路６と、給気通風路３に室外吸込口１から室内吹出口２へ向う気流を形成する送風機１４と、排気通風路６に室内吸込口４から室外吹出口５へ向う気流を形成する送風機１５と、給気通風路３と排気通風路６との一部を構成し、両者を流れる気流間での熱交換を行なう熱交換器１６とを、本体ケーシング７内に設けた換気装置について、その本体ケーシング７の取付面１０ｂ以外の面に室外吸込口１と室外吹出口５とをダクト接続可能に構成し、熱交換器１６を給気通風路３の室内吹出口２側と排気通風路６の室内吸込口４側に寄せて設け、各送風機１４，１５を室外吸込口１側と室外吹出口５側に寄せて設ける。【選択図】          図２
2004176957.tif 000002
【特許請求の範囲】
【請求項１】
建物の外部と室内とを室外吸込口と室内吹出口を通じて繋がる給気通風路と、同建物の室内と外部とを室内吸込口と室外吹出口を通じて繋がる排気通風路と、前記給気通風路に前記室外吸込口から前記室内吹出口へ向う気流を形成する送風機と、前記排気通風路に前記室内吸込口から前記室外吹出口へ向う気流を形成する送風機と、前記給気通風路と前記排気通風路との一部を構成し、両者を流れる気流間での熱交換を行なう熱交換器とを、本体ケーシング内に設けた換気装置であって、その本体ケーシングの取付面以外の一面に前記室外吸込口と前記室外吹出口とをダクト接続可能に構成した換気装置。
【請求項２】
請求項１に記載の換気装置であって、熱交換器を給気通風路の室内吹出口側と排気通風路の室内吸込口側に寄せて設け、各送風機を室外吸込口側と室外吹出口側に寄せて設けた換気装置。
【請求項３】
建物の外部と室内とを室外吸込口と室内吹出口を通じて繋がる給気通風路と、同建物の室内と外部とを室内吸込口と室外吹出口を通じて繋がる排気通風路と、前記給気通風路に前記室外吸込口から前記室内吹出口へ向う気流を形成する送風機と、前記排気通風路に前記室内吸込口から前記室外吹出口へ向う気流を形成する送風機と、前記給気通風路と前記排気通風路との一部を構成し、両者を流れる気流間での熱交換を行なう熱交換器とを、略９０度をなす扇形の五面体に構成した本体ケーシング内に設け、その本体ケーシングの円弧面に前記室内吹出口と前記室内吸込口とを離反して設け、その略直角をなす二面の一面に前記室外吸込口と前記室外吹出口とをダクト接続可能に設けた換気装置。
【請求項４】
請求項３に記載の換気装置であって、室内吹出口からの吹出し方向が室内吸込口への吸込み方向に略直角をなすようにした換気装置。
【請求項５】
請求項３又は請求項４のいずれかに記載の換気装置であって、本体ケーシングの扇形の略中心線上に、熱交換器を円弧面側にして同熱交換器と送風機とを配置した換気装置。
【請求項６】
請求項３〜請求項５までのいずれかに記載の換気装置であって、室外吸込口と室外吹出口とを、内部に隔壁を持つ二層管ダクトの接続と、個別なダクトの接続のいずれかを選択できる構成とした換気装置。
【発明の詳細な説明】
【０００１】
【発明の属する技術分野】
本発明は、外気の取入れと室内の空気の排気を熱交換しながら行なう換気装置に関するものである。
【０００２】
【従来の技術】
外気を室内へ取入れる給気系と、室内の空気を室外へ排気する排気系を備え、給排気流間で連続的な熱交換を行なわせる換気装置は、温度や湿度といった状態量の変動の少ない換気を行なうことができる。この種の換気装置は、天井や天井裏の空間等に設置されるものが多く、その排気系の室内空気の取入れ口は、排気用送風機の吸込口に臨んでいて、室内に開口するように取付られる。（例えば、特許文献１参照）。
【０００３】
【特許文献１】
特開平１０−２８１５２５号公報（第３頁、図１）
【０００４】
【発明が解決しようとする課題】
従来のこの種の換気装置においては、排気用送風機の吸込口が室内空気の取入れ口に臨み、化粧グリル等を介して室内に通じているため、排気用送風機の騒音が室内にそのまま伝播し、静粛性に欠けるという問題点があった。また、本体の取付面に、室外にダクト等で連絡させる室外吸込口と室外吹出口とを設けているため、設置に当っては室外吸込口と室外吹出口とダクト等との面倒な位置合せが必要な上、既に外壁等に連通孔が設けられている住宅に対し、その連通孔をそのまま使って後からの取付けが出来ないこともあるという問題点がある。さらには、部屋の入隅部を活用したくても当該部に適合し難い構成であり、設置場所の制約が強いといった問題点もある。
【０００５】
本発明は、係る従来の問題点を解決するためになされたものであって、その課題とするところは、静粛性の高い換気装置を得ることであり、設置上の制約の少ない換気装置を得ることであり、部屋の入隅部を有効に利用して設置できる換気装置を得ることであり、その換気装置の機能を拡充することである。
【０００６】
【課題を解決するための手段】
前記課題を達成するために本発明は、建物の外部と室内とを室外吸込口と室内吹出口を通じて繋がる給気通風路と、建物の室内と外部とを室内吸込口と室外吹出口を通じて繋がる排気通風路と、給気通風路に室外吸込口から室内吹出口へ向う気流を形成する送風機と、排気通風路に室内吸込口から室外吹出口へ向う気流を形成する送風機と、給気通風路と排気通風路との一部を構成し、両者を流れる気流間での熱交換を行なう熱交換器とを、本体ケーシング内に設けた換気装置について、その本体ケーシングの取付面以外の一面に室外吸込口と室外吹出口とをダクト接続可能に構成する手段を採用する。
【０００７】
前記課題を達成するために他の発明は、建物の外部と室内とを室外吸込口と室内吹出口を通じて繋がる給気通風路と、建物の室内と外部とを室内吸込口と室外吹出口を通じて繋がる排気通風路と、給気通風路に室外吸込口から室内吹出口へ向う気流を形成する送風機と、排気通風路に室内吸込口から室外吹出口へ向う気流を形成する送風機と、給気通風路と排気通風路との一部を構成し、両者を流れる気流間での熱交換を行なう熱交換器とを、略９０度をなす扇形の五面体に構成した本体ケーシング内に設け、その本体ケーシングの円弧面に室内吹出口と室内吸込口とを離反して設け、その略直角をなす二面の一面に室外吸込口と室外吹出口とをダクト接続可能に設ける手段を採用する。
【０００８】
【発明の実施の形態】
実施の形態１．
図１と図２によって示す本実施の形態は、外気の取入れと室内の空気の排気を熱交換しながら行なう換気装置に関するものである。この換気装置は、図２に示すように建物の外部と室内とを室外吸込口１と室内吹出口２を通じて繋がる給気通風路３と、建物の室内と外部とを室内吸込口４と室外吹出口５を通じて繋がる排気通風路６とが本体ケーシング７内に全経路にわたって独立に構成されている。本体ケーシング７は、図１に示すように正面１０ａと取付面１０ｂ、上面９ａと下面９ｂ、妻面８ａと妻面８ｂを持つ概ね六面体の形状をしている。
【０００９】
室外吹出口５と室外吸込口１は、本体ケーシング７の取付面１０ｂを除く直面の妻面８ａに丸孔を二つに仕切板で仕切って設けられ、室外吹出口５と室外吸込口１にはダクト接続可能の内部に仕切りを持つ二層管構造の接続口部品１１が装着されている。この接続口部品１１により、室外吸込口１と室外吹出口５とは、内部に隔壁１２を持つ二層管ダクト１３と接続され、それぞれ室外へ連絡される。室内吸込口４は、本体ケーシング７の正面１０ａの稜角部を形成した妻面８ｂ寄りに設けられ、室内吹出口２は、妻面８ｂに設けられている。
【００１０】
給気通風路３には室外吸込口１から室内吹出口２へ向う気流を形成する送風機１４が、排気通風路６には室内吸込口４から室外吹出口５へ向う気流を形成する送風機１５が組込まれている。給気通風路３と排気通風路６との一部は、それぞれ独立して交差する流体通路を持つ積層型の熱交換器１６の各流体通路によって構成され、熱交換器１６の各流体通路を流れる給排気流間で連続的な熱交換が行なわれる。熱交換器１６は、給気通風路３の室内吹出口２側と排気通風路６の室内吸込口４側に寄せて設けられ、各送風機１５，１４は、室外吹出口５側と室外吸込口１側に寄せて設けられている。
【００１１】
この換気装置は、本体ケーシング７の取付面１０ｂ又は上面９ａの四隅部に、取付金具が設けられ、この取付金具を使って天井面又は壁面に１０ｂ又は上面９ａを対向させた状態に固定される。送風機１５の運転により、室内吸込口４から吸込まれた室内の空気は、本体ケーシング７に組込まれた熱交換器１６の一方の流体通路を経て送風機１５を通り、本体ケーシング７の妻面８ａに設けられた室外吹出口５から接続口部品１１を経て二層管ダクト１３から室外へ排気される。一方、送風機１４の運転により、二層管ダクト１３から本体ケーシング７の妻面８ａに設けられた室外吸込口１から吸込まれた室外の空気は、送風機１４を通り、熱交換器１６の他方の流体通路を通過して室内吹出口２から室内へ吹出される。
【００１２】
排気用の送風機１５も給気用の送風機１４も、室内吸込口４及び室内吹出口２に接近して設けられた熱交換器１６より奥側に設けられていて、室内に臨む室内吸込口４及び室内吹出口２には臨んでいないので、各送風機１４，１５の騒音は、室内へは伝播し難く、静粛性が高い。
【００１３】
また、取付面１０ｂ以外の面に、室外に連絡させる室外吸込口１と室外吹出口５とが設けられているため、設置に当っては室外吸込口１と室外吹出口５とダクト等との面倒な位置合せが不要な上、既に外壁等に連通孔が設けられている住宅に対しても、その連通孔を使って、後から換気装置を取付けることが出来る。
【００１４】
実施の形態２．
図３に示す本実施の形態は、実施の形態１で示した換気装置の本体ケーシングを、略９０度をなす扇形の五面体に構成し、部屋の入隅部を有効に利用して設置できるようにしたもので、基本的な構成は実施の形態１で示したものと同じである。従って、実施の形態１のものと同じ部分については、実施の形態１のものと同じ符号を用いその説明は省略する。
【００１５】
本実施の形態の換気装置は、図３の天井面から見た断平面図で示すように、本体ケーシング１７が、略９０度をなす扇形の五面体に構成されている。本体ケーシング１７の円弧面１８に室内吹出口２と室内吸込口４とが、吹出し方向が吸込み方向と略直角をなすように離反して設けられている。本体ケーシング１７の略直角をなす二面の一面には、二組の室外吸込口１と室外吹出口５とがそれぞれダクト接続可能に設けられている。一組の室外吸込口１と室外吹出口５とは、内部に隔壁１２を持つ二層管ダクト１３の接続が可能に構成され、他の一組は、個別なダクト１９を接続できる構成で、いずれか一組を選択して室外に連絡することができる。使用しない室外吸込口１と室外吹出口５は、閉止板２０で閉止される。
【００１６】
熱交換器１６を円弧面１８側にして本体ケーシング１７の扇形の略中心線上に、熱交換器１６と送風機１４，１５とが配置されている。この構成を採ることにより設置に当り偏荷重がかからず安定した取付状態が維持される。そして、室内吹出口２と室内吸込口４とが、吹出し方向が吸込み方向と略直角をなすように離反して設けられているため給排気流間での短絡も回避でき、部屋のコーナー部を有効に使って設置できる。静粛性については、実施の形態１のものと同様に、室内吹出口２と室内吸込口４に各送風機１４，１５が臨まないので高い。また、室外吹出口５と室外吸込口１とを二組備え、二層管ダクト１３又は個別なダクト１９を使って室外へ連絡させることができるため、部屋の大きさや住宅構造に拘らず設置することができる。
【００１７】
即ち、二層管ダクト１３を使う場合には開口面積が小さく圧力損失が大きいため、換気風量は小さく比較的小さな部屋に向いている。そして、個別なダクト１９を使う場合には開口面積が大きく圧力損失が小さいため、換気風量は大きく比較的大きな部屋に向いている。また、個別なダクト１９を設けるには、壁に二つの貫通孔を開けなければならず、コンクリート住宅には適用し難いが、二層管ダクト１３によれば、一つの貫通孔を開ければ良いのでコンクリート住宅にも容易に対応することができる。
【００１８】
【発明の効果】
本発明によれば、静粛性の高い設置上の制約の少ない換気装置が得られる。
【００１９】
また、他の発明によれば、部屋の入隅部を有効に利用して設置できる換気装置が得られる。
【図面の簡単な説明】
【図１】実施の形態１の換気装置の斜視図である。
【図２】実施の形態１の換気装置の天井面から見た断平面図である。
【図３】実施の形態２の換気装置の天井面から見た断平面図である。
【符号の説明】
１  室外吸込口、  ２  室内吹出口、  ３  給気通風路、  ４  室内吸込口、５  室外吹出口、  ６  排気通風路、  ７  本体ケーシング、  ８ａ  妻面、１３  二層管ダクト、  １４  送風機、  １５  送風機、  １６  熱交換器、
１７  本体ケーシング、  １８  円弧面、  １９  ダクト。
【図１】
2004176957.tif 000003
【図２】
2004176957.tif 000004
【図３】
2004176957.tif 000005